(57)【特許請求の範囲】
【請求項１】
テープ状の含有体（７）に薬剤（６）を含有させ、含有体（７）を巻き付け状態としてカセットケース（１３）の内部に収納しておき、テープ状の含有体（７）を移動させてヒータ（８）により加熱することにより、薬剤（６）を気体とし、気体状態の薬剤（６）をケース（９）の蒸散口（１０）から蒸散させる２つの蒸散ユニット（２）と、蒸散口（１０）に気体状態の薬剤（６）の拡散方向に向けて空気流を発生するモータ駆動式のファン（３）と、所定の積算時間で動作中の蒸散ユニット（２）を待機中の蒸散ユニット（２）に切り換えて動作させるコントローラ（４）と、ファン（３）のモータ（１１）および上記コントローラ（４）に対して適切なオンオフ周期で給電するタイマー（５）と、からなることを特徴とする薬剤蒸散装置（１）。
【発明の詳細な説明】
【０００１】
【産業上の利用分野】
本発明は、殺虫剤、殺菌剤、芳香剤などの薬剤を安定な気体状態で空気中に蒸散させる装置に関する。
【０００２】
【従来の技術】
市販の電気蚊取器は、薬剤の含有体を加熱することによって、薬剤を気体として蒸散させ、蚊などを殺虫する。上記の電気蚊取器によると、その持続時間が短いため、長時間の連続的な使用が不可能である。
【０００３】
一方、実開平７−８７８７２号公報は、テープに薬剤を含浸させておき、そのテープを発熱体に接触させながら通過させることにより、薬剤を連続的に蒸散させることを開示している。上記技術によると、テープの長さや、テープの通過速度によって、長い時間にわたる連続使用が可能となる。しかし、テープの長さに限界があるため、使用中のテープが使い終わった時点で、新たなテープを供給する必要がある。また発熱体によって空気中に放出される薬剤は、室内の自然の空気流によって拡散する。このため、薬剤が室内全域にわたって均一に分布せず、多くの現場で、所期の殺虫効果が得られない。
【０００４】
【発明の目的】
したがって、本発明の目的は、さらに長い時間にわたって薬剤の蒸散を持続できるようにし、また室内で薬剤を均一に作用させることである。
【０００５】
【発明の解決手段】
上記目的の下に、本発明は、テープ状の含有体（７）に薬剤（６）を含有させ、含有体（７）を巻き付け状態としてカセットケース（１３）の内部に収納しておき、テープ状の含有体（７）をヒータ（８）により加熱することにより、薬剤（６）を気体とし、気体状態の薬剤（６）をケース（９）の蒸散口（１０）から蒸散させる２つの蒸散ユニット（２）と、蒸散口（１０）に気体状態の薬剤（６）の拡散方向に向けて空気流を発生するモータ駆動式のファン（３）と、所定の積算時間で動作中の蒸散ユニット（２）を待機中の蒸散ユニット（２）に切り換えて動作させるコントローラ（４）と、ファン（３）のモータ（１１）および上記コントローラ（４）に対して適切なオンオフ周期で給電するタイマー（５）を付設している。
【０００６】
【発明の実施の形態】
図１、２は、本発明の薬剤蒸散装置１の外観を示しており、また図３は、蒸散ユニット２の概略的な構成を示している。そして、図４は、２個の蒸散ユニット２、モータ駆動式のファン３の電気的な制御系を示している。
【０００７】
薬剤蒸散装置１は、全体として箱型のケース９によって組み立てられている。ケース９は、その内部で蒸散ユニット２およびコントローラ４、タイマー５などを収容しており、またその上部で、サポート１２によりモータ駆動式のファン３を支持している。
【０００８】
蒸散ユニット２は、ケース９の内部に２台設けられており、ケース９の上面に形成されている蒸散口１０から薬剤６を気体として拡散させる。すなわち、蒸散ユニット２は、固体または液体の状態の殺虫剤、殺菌剤あるいは芳香剤などの薬剤６を含有しているテープ状の含有体７を巻き付け状態でカセットケース１３の内部で備えており、含有体７をヒータ８に接触させながら、送りローラや送りモータなどの送り手段により、所定の速度で移動させることにより、薬剤６を昇華、または気化させ、気体状態の薬剤６を蒸散口１０から気体として放出する。
【０００９】
なお、薬剤６やテープ状の含有体７の材質や厚みによるが、含有体７の移動速度は、１〔ｃｍ／ｈｒ〕程度に設定され、またヒータ８の加熱温度は、１００〜３００〔℃〕程度に設定される。
【００１０】
またモータ駆動式のファン３は、蒸散口１０の上にあって、背面側から空気を取り込み、前側の拡散方向に空気流を発生することにより、前側下方の蒸散口１０から上昇してくる気体の薬剤６を空気流に乗せて、室内などに拡散させる。
【００１１】
２台の蒸散ユニット２および１台のファン３のモータ１１は、それらに共通のコントローラ４、必要に応じてタイマー５などによって制御されるようになっている。すなわち、タイマー５は、ヒューズ１６を介して、２つの電源端子１４の間に接続されており、このタイマー５のタイマー接点１５およびコントローラ４は、直列接続の状態で、タイマー５に対し並列となるように電源端子１４に接続されている。また、モータ１１は、コントローラ４に対して並列に接続されている。
【００１２】
コントローラ４は、２台の蒸散ユニット２に対し、それぞれの通電時間を積算し、所定の積算時間のときに、動作中の蒸散ユニット２を切り換えて、待機中の蒸散ユニット２を動作させるほか、動作中の蒸散ユニット２のトラブル信号Ｓを入力したときにも動作中の蒸散ユニット２に代えて待機中の蒸散ユニット２を動作させる。
【００１３】
また、タイマー５は、薬剤６の過剰な蒸散を抑えるために付設されており、適切なオンオフ周期でタイマー接点１５をオンオフさせることによって、蒸散ユニット２およびモータ１１を間欠的に動作させる。
【００１４】
使用時に、利用者は、２つの蒸散ユニット２に例えば殺虫剤散布用のカセットケース１３を装着し、含有体７の移動速度およびヒータ８の温度を適切な値に設定して、薬剤蒸散装置１を殺虫対象の空間例えば室内に設置してから、コントローラ４およびタイマー５を商用電源１７に接続する。このようにすると、タイマー５は、所定の周期例えばオン４０〔分〕、オフ２０〔分〕の周期でオンオフを繰り返し、コントローラ４およびファン３のモータ１１を周期的に動作させる。
【００１５】
コントローラ４は、最初に、一方の蒸散ユニット２を動作させ、その蒸散ユニット２の動作期間中に、通電時間すなわち動作時間を積算していく。積算時間が予め設定した積算時間に達した時点で、コントローラ４は、動作中の一方の蒸散ユニット２に対する電力の供給を停止し、これに代わって他方の蒸散ユニット２に対して電力を供給し、それを動作させる。１つの蒸散ユニット２（１つのカセットケース１３）の連続動作時間が例えば３００〔時間〕とすれば、２台の蒸散ユニット２について、６００〔時間〕の連続運転が可能となる。
【００１６】
【発明の効果】
本発明では、蒸散ユニットの蒸散口の近くに、ファンが設けられており、このファンの空気流によって、蒸散した薬液が薬剤蒸散装置の設置空間に均一に拡散するため、設置空間の全域について薬剤効果が期待できる。
【００１７】
また、２台の蒸散ユニットをコントローラによって切り換えて使用すれば、長い時間にわたっての連続的な使用が可能となるため、薬剤の含浸体（カセットケース）の交換動作などが頻繁に行う必要がなく、保守管理が容易となる。
【００１８】
さらに、蒸散ユニットが所定のオンオフ周期で間欠的に運転されるから、適切な薬剤濃度で、さらに長時間にわたって薬剤効果が継続的に得られるため、倉庫などの薬剤蒸散用の装置として利用できる。
【図面の簡単な説明】
【図１】  本発明の薬剤蒸散装置の正面図である。
【図２】  本発明の薬剤蒸散装置の側面図である。
【図３】  蒸散ユニットの概略的な平面図である。
【図４】  制御系の回路図である。
【符号の説明】
１  薬剤蒸散装置
２  蒸散ユニット
３  モータ駆動式のファン
４  コントローラ
５  タイマー
６  薬剤
７  含有体
８  ヒータ
９  ケース
１０  蒸散口
１１  モータ
１２  サポート
１３  カセットケース
１４  電源端子
１５  タイマー接点
１６  ヒューズ
１７  商用電源
【図１】
0003800368.tif 000002
【図２】
0003800368.tif 000003
【図３】
0003800368.tif 000004
【図４】
0003800368.tif 000005